(57)【特許請求の範囲】
【請求項１】
基材上の少なくとも一部に、前記基材と同じ又は異なる色の凹形状の第１の要素が第１の方向に複数配置されて成る第１の模様と前記第１の要素と異なる色の第２の要素が第２の方向に複数配置されて成る第２の模様が形成され、前記第１の要素が形成されていない基材表面上の領域は平坦形状であり、前記第１の模様は、前記複数配置される第１の要素において、第１の深度で形成される潜像部と前記第１の深度と異なる第２の深度で形成される背景部を備え、前記潜像部を構成する第１の要素の少なくとも一部及び前記背景部を構成する第１の要素の少なくとも一部に前記第２の要素が重なり、前記基材の真上から観察すると前記第２の模様が観察され、前記基材を斜めから観察すると前記第１の深度と前記第２の深度が異なることにより、前記潜像部を構成する第１の要素及び前記背景部を構成する第１の要素に重なる前記第２の要素の視認性が異なって潜像が観察されることを特徴とする潜像模様形成体。
【請求項２】
前記第１の要素は、画線であることを特徴とする請求項１記載の潜像模様形成体。
【請求項３】
前記第２の要素は、画線及び／又は画素であることを特徴とする請求項１又は２記載の潜像模様形成体。
【請求項４】
前記潜像部及び／又は前記背景部を構成する第１の要素が、一つの第１の要素において、二つ以上の異なる深度で形成されることを特徴とする請求項１乃至３記載のいずれか１項に記載の潜像模様形成体。
【請求項５】
前記潜像部及び／又は前記背景部を構成する第１の要素の深度が、連続的に異なることを特徴とする請求項１乃至４記載のいずれか１項に記載の潜像模様形成体。
【請求項６】
前記複数配置される第１の要素が隣接して形成されることを特徴とする請求項１乃至５記載のいずれか１項に記載の潜像模様形成体。
【発明の詳細な説明】
【技術分野】
【０００１】
本発明は、銀行券、株券、有価証券、通行券、パスポート、商品券、カード等の偽造防止が要求される貴重印刷物に適用される、潜像模様形成体である。
【背景技術】
【０００２】
銀行券、株券、債券等の有価証券、カード、各種証明書及び重要書類等の貴重印刷物は、その性質上、偽造や改ざんされないことが要求される。その防止策としては、特殊インキによる印刷、ホログラム、スレッド、微小文字印刷等がある。
【０００３】
前述のような防止策として、本出願人は、部分的に角度を異にすることによって図柄を表した各種万線模様又はレリーフ模様のいずれか少なくとも一つの模様を隆起した印刷で施し、該印刷画線上に一定な間隔を持つ各種万線画線又は網点画線のいずれか少なくとも一つを該印刷画線に対して平行又は傾斜を持たせて印刷した潜像模様形成体の発明を提案している（例えば、特許文献１参照）。特許文献１の発明の潜像模様形成体を傾けて観察した場合には、隆起した印刷で形成された各種万線模様又はレリーフ模様において、部分的に角度を異にすることによって表される潜像の図柄とその背景の部分で、その上に印刷される一定な間隔を持つ各種万線画線又は網点画線の視認性が異なることによって潜像が観察できる。
【０００４】
また、本出願人は、部分的に角度を異にすることによって図柄を表した各種万線模様又はレリーフ模様のいずれか少なくとも一つの模様をエンボスによって形成された凹凸形状を有する基材に、一定な間隔を持つ各種万線画線又は網点画線のいずれか少なくとも一つを前述の凹凸形状の図柄以外の部分を構成する部分に対して平行又は傾斜を持たせて印刷した潜像模様形成体の発明を提案している（例えば、特許文献２参照）。なお、特許文献２の発明の潜像模様形成体においても、特許文献１の発明と同様な原理によって、傾けて観察したときに潜像が観察される。
【０００５】
また、平面部を具備する基材に複数の凹部を形成し、凹部を取り囲むように平面部に設けられた第１のマーク部と、複数の凹部のうち、あらかじめ決められた凹部の内側面の全周に渡って設けられた第２のマーク部を有し、基材を正面から観察したときは主に第１のマーク部が視認され、基材を傾けて観察したときは第２のマーク部によって構成される潜像が視認されるという偽造防止媒体が開示されている（例えば、特許文献３参照）。なお、特許文献３の発明の偽造防止媒体は、凹部の内側面をなぞるように第２のマークを形成しているため、潜像の観察方向が制限されないという効果がある。
【先行技術文献】
【特許文献】
【０００６】
【特許文献１】特許第２６０００９４号公報
【特許文献２】特許第２６１５４０１号公報
【特許文献３】特開２００８−１２７２２号公報
【発明の開示】
【発明が解決しようとする課題】
【０００７】
しかしながら、特許文献１及び特許文献２の発明は、隆起した印刷又はエンボスによって形成される一つの各種万線画線又はレリーフ模様において、部分的に角度を異ならせる、すなわち、位相を異ならせて潜像の図柄とその背景となる部分を形成しており、そのために、潜像の図柄とその背景となる部分を構成する各種万線画線又はレリーフ模様において、充分な間隔を空ける必要がある。また、各種万線模様同士又はレリーフ模様において、潜像の図柄とその背景となる部分の区分けをするために、隣り合う各種万線模様同士又はレリーフ模様同士で重なり合わないようにする、すなわち、各種万線模様又はレリーフ模様を、一定の間隔を空けて形成する必要がある。このような構成のため、特許文献１及び特許文献２の発明は、潜像として視認される各種万線画線又は網点画線の間隔も空いてしまい、潜像の図柄の解像度及び視認性を向上させる上での障害となっていた。
【０００８】
また、特許文献３の発明については、凹部の中心にかけて凹部の断面積を徐々に狭くし、断面積が狭くなった内側面に第２のマークを設けているため、観察される潜像は、隣同士の凹部に形成された第２のマークが間隔を空けて観察され、潜像の図柄の解像度及び視認性を向上させる上での障害になっていた。また、凹部と凹部の間の平面部には、第１のマーク部を設けるための充分な間隔が必要であり、このことからも、潜像として観察される第２のマークの間隔が空いてしまい、潜像の図柄の解像度及び視認性を向上させる上での障害になっていた。
【０００９】
本発明は、前述した課題を解決することを目的とするものであり、従来よりも解像度と視認性に優れた潜像を観察することができる潜像模様形成体を提供することを目的とする。
【課題を解決するための手段】
【００１０】
上記課題を解決するために、本発明の潜像模様形成体は、基材上の少なくとも一部に、基材と同じ又は異なる色の凹形状の第１の要素が第１の方向に複数配置されて成る第１の模様と第１の要素と異なる色の第２の要素が第２の方向に複数配置されて成る第２の模様が形成され、第１の模様は、複数配置される第１の要素において、第１の深度で形成される潜像部と第１の深度と異なる第２の深度で形成される背景部を備え、潜像部を構成する第１の要素の少なくとも一部及び背景部を構成する第１の要素の少なくとも一部に第２の要素が重なり、基材の真上から観察すると第２の模様が観察され、基材を斜めから観察すると第１の深度と第２の深度が異なることにより、潜像部を構成する第１の要素及び背景部を構成する第１の要素に重なる第２の要素の視認性が異なって潜像が観察されることを特徴とする。
【００１１】
また、本発明の第１の方向と第２の方向が同じ又は異なることを特徴とする。
【００１２】
また、本発明の第１の要素は、画線であることを特徴とする。
【００１３】
また、本発明は、第２の要素は、画線及び／又は画素であることを特徴とする。
【００１４】
また、本発明は、潜像部及び／又は背景部を構成する第１の要素が、一つの第１の要素において、二つ以上の異なる深度で形成されることを特徴とする。
【００１５】
また、本発明は、潜像部及び／又は背景部を構成する第１の要素の深度が、連続的に異なることを特徴とする。
【００１６】
また、本発明は、複数配置される第１の要素が隣接して形成されることを特徴とする。
【発明の効果】
【００１７】
本発明の潜像模様形成体は、潜像の図柄とその背景を構成する凹形状の第１の要素及び第２の要素を直線状に形成しており、第１の要素と第２の要素の形成密度を高くすることができ、これによって、潜像の解像度及び視認性を向上させることができる。
【図面の簡単な説明】
【００１８】
【図１】本発明の潜像模様形成体と観察される画像を示す図である。
【図２】第１の模様を示す図である。
【図３】第１の要素の断面形状を示す図である。
【図４】第１の模様の潜像部と背景部を示す図である。
【図５】異なる深度で形成される潜像部及び背景部を構成する第１の要素を示す図である。
【図６】画線で構成される第１の要素の例を示す図である。
【図７】第２の模様を示す図である。
【図８】第１の模様に対して傾けて形成された第２の模様を示す図である。
【図９】画素で構成される第２の要素の例を示す図である。
【図１０】第１の要素と第２の要素の配置と潜像画像を観察したときの状態を示す図である。
【図１１】観察点（Ｌ１）から観察したときの状態を示す図である。
【図１２】観察点（Ｌ２）から観察したときの状態を示す図である。
【図１３】観察点（Ｌ３）から観察したときの状態を示す図である。
【図１４】観察点（Ｌ２）から観察したときの状態を示す図である。
【図１５】潜像画像を示す図である。
【図１６】潜像部が二つの異なる深度で形成されて成る第１の模様を示す図である。
【図１７】潜像部が二つの異なる深度で形成されて成る第１の要素を示す図である。
【図１８】潜像部が二つの異なる深度で形成されて成る潜像模様形成体の潜像画像を示す図である。
【図１９】潜像部と背景部を構成する第１の要素の観察領域に第２の要素が重なる状態を示す図である。
【図２０】潜像部と背景部が第２の要素の色で観察される潜像画像を示す図である。
【図２１】実施例３潜像模様形成体の第１の模様を示す図である。
【図２２】実施例５の潜像模様形成体を示す図である。
【図２３】実施例５の潜像模様形成体の潜像画像を示す図である。
【図２４】実施例７の潜像模様形成体の第１の模様を示す図である。
【図２５】潜像部を構成する第１の要素の深度が連続的に異なる状態を示す図である。
【図２６】実施例７の潜像模様形成体の潜像画像を示す図である。
【発明を実施するための形態】
【００１９】
本発明を実施するための形態について図面を用いて説明する。しかしながら、本発明は、以下に述べる実施するための形態に限定されるものではなく、特許請求の範囲記載における技術的思想の範囲内であれば、その他の様々な実施の形態が含まれる。
【００２０】
本発明の潜像模様形成体（２）は、図１（ａ）に示すように、基材（１）に、基材（１）と同じ色又は異なる色で凹形状の第１の要素（１１）が複数配置されて第１の模様（１０）が形成され、第１の模様（１０）の上に、第１の要素（１１）の色と異なる色の第２の要素（２１）が複数配置されて第２の模様（２０）が形成されて成る。そして、第１の模様（１０）と第２の模様（２０）の配置によって、正面から観察したときは、図１（ｂ）に示す第２の模様（２０）が観察され、斜めから観察したときは、第２の要素（２１）の色が観察される部分と第２の要素（２１）の色が観察されない部分が生じ、図１（ｃ）に示すように潜像画像（３０）が観察される。以下、潜像模様形成体（２）の詳細な構成について説明する。
【００２１】
本発明において、基材（１）は、特に限定されるものではなく、紙、フィルム、プラスチック、それらの複合素材等を用いることができる。
【００２２】
次に、潜像模様形成体（２）の第１の模様（１０）の構成について説明する。
【００２３】
（第１の模様）
第１の模様（１０）は、図２に示すように、基材（１）に、第１の要素（１１）が第１の方向（Ｆ１）に複数配置されて成る。なお、本発明において、「第１の方向（Ｆ１）」とは、基材（１）に第１の要素（１１）が配置される方向のことであり、図２において第１の方向（Ｆ１）は、第１の要素（１１）の長辺方向に対して垂直の方向である。
【００２４】
図３は、図２におけるＹ−Ｙ´線の断面図、すなわち、複数配置された第１の要素（１１）の断面図である。本発明において、第１の要素（１１）の凹形状は、図３（ａ）に示す、逆三角形、図３（ｂ）に示す半円形、図３（ｃ）に示す台形及び図３（ｄ）に示す四角形のいずれで形成してもよい。また、第１の要素（１１）の凹形状の構成は、図３に示す形状に限定されるものではなく、更に画数の多い多角形（図示せず）や、複数の変極点を有する曲線形状であってもよい。
【００２５】
さらに、第１の模様（１０）は、第１の方向に複数配置された凹形状の第１の要素（１１）のそれぞれにおいて、一つの第１の要素（１１）内で凹形状の深度を部分的に異ならせることによって、図４に示す潜像部（４Ａ）と背景部（４Ｂ）を備える。このとき、潜像部（４Ａ）と背景部（４Ｂ）は、互いに異なる深度の第１の要素（１１）によって形成され、以降の説明は、潜像部（４Ａ）を構成する第１の要素の深度のことを「第１の深度（ＤＡ）」、背景部（４Ｂ）を構成する第１の要素の深度のことを「第２の深度（ＤＢ）」として説明する。なお、図４は、アルファベットの「Ａ」の文字の潜像部（４Ａ）とその背景部（４Ｂ）を備えて成る第１の模様（１０）を示している。続いて、図４に示す潜像部（４Ａ）を構成する第１の要素（１１）と背景部（４Ｂ）を構成する第１の要素（１１）について説明する。
【００２６】
図５（ａ）は、図４に示す破線で囲む第１の要素（１１）の上面図と断面図である。図４において、破線で囲まれる第１の要素（１１）は、背景部（４Ｂ）のみを構成しているため、図５（ａ）に示すように、第２の深度（ＤＢ）で、第１の要素（１１）が形成される。また、図５（ｂ）は、図４に示す一点鎖線で囲む第１の要素（１１）の上面図と断面図である。図４において、一点鎖線で囲まれる第１の要素（１１）は、潜像部（４Ａ）と背景部（４Ｂ）を構成しているため、図５（ｂ）に示すように、潜像部（４Ａ）は第１の深度（ＤＡ）で形成され、背景部（４Ｂ）は第２の深度（ＤＢ）で形成され、それぞれが異なる深度で形成される。また、図５（ｃ）は、図４に示す二点鎖線で囲む第１の要素（１１）の上面図と断面図である。図４において、二点鎖線で囲まれる第１の要素（１１）は、潜像部（４Ａ）と背景部（４Ｂ）を構成しているが、一点鎖線で囲まれる第１の要素（１１）に対して、潜像部（４Ａ）の位置が異なり、図５（ｃ）に示すように、潜像部（４Ａ）の位置に応じて第１の深度（ＤＡ）で第１の要素（１１）が形成される。このように、本発明においては、潜像部（４Ａ）と背景部（４Ｂ）は、互いに異なる深度の第１の要素（１１）によって形成される。
【００２７】
以上説明した第１の要素（１１）は、第１の深度（ＤＡ）が、第２の深度（ＤＢ）より浅く形成される構成であるが、第１の深度（ＤＡ）が、第２の深度（ＤＢ）より深く形成される構成としても良い（図示せず）。また、潜像部（４Ａ）及び背景部（４Ｂ）を構成する第１の要素（１１）の凹形状は、前述した、図３（ａ）〜（ｄ）に示す形状及びその他の形状において、同じ形状（但し、深さは異なる）であることが好ましいが、後述する潜像の観察原理において、潜像部（４Ａ）と背景部（４Ｂ）で第２の要素（２１）の視認性に差が生じる図柄であれば異なる形状であっても良い。また、図５（ａ）〜（ｃ）では、潜像部（４Ａ）を構成する第１の要素（１１）の第１の深度（ＤＡ）及び背景部（４Ｂ）を構成する第１の要素（１１）の第２の深度（ＤＢ）が異なり、それぞれ一定の深度で形成される状態を示しているが、潜像部（４Ａ）及び／又は背景部（４Ｂ）を構成する第１の要素（１１）において、更に、深度を異ならせる構成としても良い。また、潜像部（４Ａ）及び／又は背景部（４Ｂ）を構成する第１の要素（１１）において、深度が連続的に変化する構成としても良い。なお、このような構成で成る第１の模様（１０）については、後述する。
【００２８】
また、第１の要素（１１）は、画線で構成される。本発明において、「画線」とは、直線、破線、波線等のことである。
【００２９】
直線で構成される第１の要素（１１）が複数配置された例を、図６（ａ）に示す。また、破線で構成される第１の要素（１１）が複数配置された例を、図６（ｂ）に示す。また、波線で構成される第１の要素（１１）が複数配置された例を、図６（ｃ）に示す。また、画線内に図柄が付与された画線で構成される第１の要素（１１）が複数配置された例を、図６（ｄ）に示す。
【００３０】
図６に示す画線の幅（Ｗ１）は、限定されるものではないが、１０μｍ〜１０００μｍの範囲で形成されるのが好ましい。なお、画線の幅（Ｗ１）を１０００μｍより大きくしても潜像を観察することができるが、潜像の図柄を形成するための第１の模様（１０）が大きくなり、貴重印刷物を構成するデザイン、例えば、他の印刷図柄等の制約を受けるために、好ましくない。また、画線の幅（Ｗ１）を１０μｍ以下で形成した場合、後述する第１の要素（１１）と第２の要素（２１）の配置に高い位置合わせ精度が必要とされ、作製が困難になるため好ましくない。
【００３１】
図６に示す第１のピッチ（Ｐ１）は、画線の幅（Ｗ１）以上の大きさであれば、特に限定されるものではなく、一定のピッチで規則的に第１の要素（１１）が配置される。これは、第１のピッチ（Ｐ１）が画線の幅（Ｗ１）より小さいと、第１の要素（１１）同士で重なってしまい、潜像部（４Ａ）と背景部（４Ｂ）を形成できなくなるからである。そして、前述したような貴重印刷物に本発明の潜像模様形成体（２）を形成し、斜めから観察して潜像を観察するような場合、第１のピッチ（Ｐ１）は、１０００μｍ以下で形成されるのが好ましい。より好ましくは、上記した範囲で第１のピッチ（Ｐ１）を画線の幅（Ｗ１）の２倍した値より小さい範囲で形成する、すなわち、隣り合う第１の要素（１１）同士の間隔を狭くして形成するのがよい。更に好ましくは、第１の要素（１１）が隣接するように、すなわち、第１のピッチ（Ｐ１）と画線の幅（Ｗ１）の値を等しくして形成するのがよい。このように、第１のピッチ（Ｐ１）を小さくして第１の要素（１１）を形成又は第１の要素（１１）が隣接するように形成した場合、基材（１）上に形成される第１の要素（１１）の形成密度を大きくすることができるので、潜像の解像度を高め、それによって潜像の視認性の向上を図ることができる。
【００３２】
図５に示す、第１の深度（ＤＡ）及び第２の深度（ＤＢ）は、１０〜５００μｍの範囲で形成するのが好ましく、前述したように、第１の深度（ＤＡ）と第２の深度（ＤＢ）は、異なる深度で形成される。このとき、第１の深度（ＤＡ）と第２の深度（ＤＢ）によって、潜像の視認性が変わるので、第１の深度（ＤＡ）と第２の深度（ＤＢ）を、観察される潜像に応じて適宜調整すればよい。なお、本発明の潜像模様形成体（２）の潜像が観察される原理については、後述する。また、第１の深度（ＤＡ）及び第２の深度（ＤＢ）を１０μｍより小さくしても潜像を観察することはできるが、潜像の観察できる視点の範囲が狭くなってしまうために、好ましくない。また、第１の深度（ＤＡ）及び第２の深度（ＤＢ）を５００μｍより大きくすることも可能であるが、基材（１）の厚さが限定されるとともに、加工効率が悪くなるという問題が生じるため、好ましくない。
【００３３】
以降の説明では、第１の要素（１１）が、直線で構成される例で説明する。
【００３４】
（第２の模様）
第２の模様（２０）は、図７に示すように、基材（１）に、第２の要素（２１）が第２の方向（Ｆ２）に複数配置されて成る。なお、本発明において、「第２の方向（Ｆ２）」とは、基材（１）に第２の要素（２１）が配置される方向のことであり、図７において第２の方向（Ｆ２）は、第２の要素（２１）の長辺方向に対して垂直の方向である。なお、本発明において、第１の方向（Ｆ１）と第２の方向（Ｆ２）は、同じ方向であってもよいし、第２の方向が第１の方向と異なる方向であってもよい。図７に示す第２の方向は、図２に示す第１の方向と同じ方向である状態を示している。続いて、第２の方向が第１の方向と異なって複数配置された第２の要素（２１）から成る第２の模様（２０）について説明する。
【００３５】
この場合、第２の要素（２１）は、図８（ａ）に示すように、第１の要素（１１）が配置される第１の方向に対して、異なる方向の第２の方向に配置される。本発明において第１の方向（Ｆ１）と第２の方向（Ｆ２）が異なる場合、図８（ｂ）に示す第１の方向と第２の方向が成す角度（α）は、０±１０度の範囲で形成される。第１の方向と第２の方向が成す角度（α）の好ましい範囲は、０±１．５度の範囲である。これは、第１の方向と第２の方向が成す角度（α）の絶対値が小さい方が、潜像の図柄を視認しやすいためである。なお、第１の方向と第２の方向が成す角度（α）を１０度より大きくすると、縞が生じ潜像の図柄が視認できなくなる。
【００３６】
第２の要素（２１）は、図６に示す第１の要素（１１）と同様に、画線によって構成又は図９に示す画素によって構成される。はじめに、画線で構成される第２の要素（２１）について説明する。第２の要素（２１）に対しては、第２のピッチ（Ｐ２）、画線の幅（Ｗ２）とする。なお、第２の要素（２１）が画線で構成される場合、第２の要素（２１）を第１の要素（１１）と異なる画線で形成してもよい。
【００３７】
第２の要素（２１）の画線の幅（Ｗ２）は、少なくとも１０μｍより大きく、上限は、第１のピッチ（Ｐ1）に対して、９／１０の大きさの範囲で形成される。これは、仮に、第２の要素（２１）の画線の幅（Ｗ２）が、第１のピッチ（Ｐ１）に対して９／１０より大きいと、第１の要素（１１）の全体に第２の要素（２１）が重なり、潜像部（４Ａ）と背景部（４Ｂ）のコントラストが得られず潜像が観察できないからである。また、第２の要素（２１）の画線の幅（Ｗ２）が１０μｍより小さいと、第１の要素（１１）と第２の要素（２１）の重なる面積が小さいため潜像の視認性が低下するからである。
【００３８】
第２のピッチ（Ｐ２）は、第１のピッチ（Ｐ１）と略同じ大きさで形成される。略同じ大きさとは、第１のピッチ（Ｐ１）に対して４／５〜６／５の大きさの範囲である。好ましくは、同じピッチとすることがよい。これは、第１のピッチ（Ｐ１）と第２のピッチ（Ｐ２）が同じ場合、第１の要素（１１）と第２の要素（２１）が必ず一定の間隔で重なるため、後述する、潜像の図柄を視認しやすいからである。
【００３９】
続いて、画素で構成される第２の要素（２１）について説明する。本発明において「画素」とは、所定の形状を有する文字、数字、記号、図形又はマーク等のことであり、画素の形状は、特に限定されるものではない。第２の要素（２１）が画素で構成される場合、第２の要素（２１）は、図９に示すように、図６に示す第２の要素（２１）を構成する画線を画素で置き換えたものとなる。
【００４０】
文字による画素で構成される第２の要素（２１）が複数配置された例を、図９（ａ）に示す。数字による画素で構成される第２の要素（２１）が複数配置された例を、図９（ｂ）に示す。記号による画素で構成される第２の要素（２１）が複数配置された例を、図９（ｃ）に示す。図形による画素で構成される第２の要素（２１）が複数配置された例を、図９（ｄ）に示す。
【００４１】
図９に示す第２のピッチ（Ｐ２）の範囲は、第２の要素（２１）が画線で構成される場合の第２のピッチ（Ｐ２）と同じで形成される。また、図９に示す画素の高さ（Ｗ２）は、第２の要素（２１）が画線で構成される場合の画線の幅（Ｗ２）と同じ範囲で形成される。
【００４２】
第２の要素（２１）の画素の幅（Ｘ２）は、１０００μｍ以下の範囲で形成される。これは、画素によって第２の要素（２１）が構成されたとき、肉眼で観察したときに画素の形状が観察され難い大きさが、１０００μｍ以下であるからである。
【００４３】
画素のピッチ（Ｓ２）は、肉眼で観察したときに第２の要素（２１）が画線として観察されるように画素の幅（Ｘ２）に応じて、適宜調整すればよい。ただし、画素のピッチ（Ｓ２）は、第２のピッチ（Ｐ２）より、小さく形成される。これは、画素のピッチ（Ｓ２）を第２のピッチ（Ｐ２）以上の大きさにすると、図９に示す第２の要素（２１）を画線として認識できなくなるからである。また、画素同士が重ならないように、少なくとも画素のピッチ（Ｓ２）は、画素の幅（Ｘ２）より大きくして画素が配置される。
【００４４】
以上のように説明した画線の構成と、画素の構成を複合させて一つの第２の要素（２１）を構成してもよい。また、複数配置された第２の要素（２１）ごとに、画線、画素又はそれらの複合の構成としてもよい。
【００４５】
なお、以降の説明では、第２の要素（２１）が直線で構成される例で説明する。
【００４６】
第２の要素（２１）の色は、第１の要素（１１）の色と異なる色であればよく、特に限定されるものではない。
【００４７】
以上の構成で成る第２の要素（２１）は、潜像部（４Ａ）を構成する第１の要素（１１）の少なくとも一部及び背景部（４Ｂ）を構成する第１の要素（１１）の少なくとも一部に重なるように配置される。このとき、潜像模様形成体（２）を斜めから観察したときに、第２の要素（２１）は、少なくとも潜像部（４Ａ）を構成する第１の要素（１１）の観察領域に重なり、背景部（４Ｂ）を構成する第２の要素（２１）の観察領域に重ならない配置、少なくとも背景部（４Ｂ）を構成する第１の要素（１１）の観察領域に重なり、潜像部（４Ａ）を構成する第２の要素（２１）の観察領域に重ならない配置又は少なくとも潜像部（４Ａ）を構成する第１の要素（１１）及び背景部（４Ｂ）を構成する第２の要素（２１）の観察領域に重なる配置のいずれかとなり、潜像画像（３０）を観察することができる。なお、斜めから観察したときに潜像画像（３０）が観察される原理及び観察領域については後述する。
【００４８】
（第１の要素及び第２の要素の加工方法）
凹形状の第１の要素（１１）の形成方法としては、エンボス、すき入れ又はレーザ加工等の加工方法を用いることができる。また、第２の要素（２１）の形成方法は、オフセット印刷、グラビア印刷又はインクジェット印刷等の公知の印刷方法又はレーザ加工等を用いることができる。第２の要素（２１）が印刷によって形成される場合、第２の要素（２１）は、インキから成り、第２の要素（２１）がレーザ加工によって形成される場合、第２の要素（２１）は、凹形状の第１の要素（１１）が形成された基材（１１）がレーザによって変色されて成る。レーザ加工によって、第２の要素（２１）を形成する場合、凹形状の第１の要素（１１）が形成された基材（１１）に影響しない程度にレーザの出力を調整して形成する必要がある。また、すき入れ、レーザ加工によって第１の要素（１１）を形成する場合は、第２の要素（２１）を形成する前に、第１の要素（１１）を形成する必要がある。これは、第２の要素（２１）を形成した後に、すき入れ、レーザ加工によって第１の要素（１１）を形成すると、第１の要素（１１）の形成時に、第２の要素（２１）が破壊されてしまうからである。
【００４９】
以降、本発明の潜像模様形成体（２）の観察原理について説明する。なお、潜像模様形成体（２）に形成される第１の要素（１１）及び第２の要素（２１）は、それぞれ複数配置されているが、観察原理の説明では、便宜上、第１の要素（１１）と第２の要素（２１）が、それぞれ一つずつ配置された例で説明する。また、第１の深度（ＤＡ）が、第２の深度（ＤＢ）よりも浅く形成された例について説明する。
【００５０】
図１０（ａ）は、第１の要素（１１）と第２の要素（２１）が、それぞれ一つずつ配置された状態の一例を示す平面図であり、図１０（ａ）において、破線から右側の第１の要素（１１）が潜像部（４Ａ）を構成し、破線から左側の第１の要素（１１）が背景部（４Ｂ）を構成している状態を示している。また、図１０（ａ）は、第１の要素（１１）の一部に、第２の要素（２１）が重なる状態を示している。図１０（ｂ）は、潜像模様形成体（２）を観察するときの視点の位置を示す図である。本発明において、観察点（Ｌ１）は、基材（１）の真上から観察した場合の視点の位置を示しており、観察点（Ｌ２）は、基材（１）に形成された潜像の図柄の方向に向かって、例えば、図４に示す第１の模様（１０）の場合、第１の模様（１０）の下側から、かつ、基材（１）に対して斜めの方向から潜像を観察するときの視点の位置を示している。また、観察点（Ｌ３）は、基材（１）に形成された図柄の方向と逆の方向に向かって、例えば、図４に示す第１の模様（１０）の場合、第１の模様（１０）の上側から、かつ、基材（１）に対して斜めの方向から潜像を観察するときの視点の位置を示している。以降、潜像模様形成体（２）の潜像の観察原理について、観察点（Ｌ２）から観察したときについてはじめに説明し、その後、観察点（Ｌ３）から観察したときの潜像の観察原理について説明する。
【００５１】
図１１（ａ）は、図１０（ａ）に示すＭ−Ｍ’線、すなわち潜像部（４Ａ）における断面図であり、観察点（Ｌ１）から観察した状態を示す図である。このとき、観察点（Ｌ１）のように、基材（１）の真上から観察した場合、潜像部（４Ａ）を構成する第１の要素（１１）の上に形成された第２の要素（２１）の全体を視認することができる。また、図１１（ｂ）は、図１０（ａ）に示すＮ−Ｎ’線、すなわち背景部（４Ｂ）における断面図であり、観察点（Ｌ１）から観察した状態を示す図である。このとき、背景部（４Ｂ）を観察点（Ｌ１）のように、基材（１）の真上から観察した場合、背景部（４Ｂ）を構成する第１の要素（１１）に重なる第２の要素（２１）の全体を観察することができる。このように、潜像模様形成体（２）を観察点（Ｌ１）から観察した場合、潜像部（４Ａ）を構成する第１の要素（１１）の上に形成された第２の要素（２１）と背景部（４Ｂ）を構成する第１の要素（１１）の上に形成された第２の要素（２１）が、同じように観察できることから、全体としては、潜像部（４Ａ）と背景部（４Ｂ）を区別することはできず、一つの第２の要素（２１）が観察される。そして、図１０は、第１の要素（１１）と第２の要素（２１）が、それぞれ一つずつ配置された例を示した図であるが、本発明の潜像模様形成体（２）を観察点（Ｌ１）から観察した場合、第２の要素（２１）の色で、図１（ｂ）に示す第２の模様（２０）が観察される。
【００５２】
図１２（ａ）は、図１０（ａ）に示すＭ−Ｍ’線、すなわち潜像部（４Ａ）における断面図であり、観察点（Ｌ２）から観察した状態を示す図である。なお、図１２（ａ）において、潜像部（４Ａ）を観察する観察点（Ｌ２）の基材（１）に対する入射角を「β」として図示している。このとき、第１の要素（１１）に重なる第２の要素（２１）のうち、基材（１）の死角となる部分、すなわち、図１２（ａ）において、斜線で示す部分は第２の要素（２１）を観察することができないが、残りの部分で第２の要素（２１）を観察することができる。以降の説明では、潜像画像（３０）を観察する場合において、凹形状の第１の要素（１１）のうち、死角となる領域のことを「死角領域」とし、凹形状の第１の要素（１１）のうち、死角領域を除く領域を「観察領域」とする。なお、観察点（Ｌ３）から観察した場合の観察領域と死角領域については後述するが、観察点（Ｌ３）から観察した場合の観察領域と死角領域は、観察点（Ｌ２）から観察した場合の観察領域と死角領域と入れ替わる。一方、図１２（ｂ）は、図１０（ａ）に示すＮ−Ｎ’線、すなわち背景部（４Ｂ）における断面図であり、観察点（Ｌ２）から観察した状態を示す図である。図１２（ｂ）において、背景部（４Ｂ）を観察する観察点（Ｌ２）の基材（１）に対する入射角を「β’」として図示しており、更に、凹形状の第１の要素（１１）の死角領域を斜線で示している。本発明の潜像模様形成体（２）において、潜像画像（３０）を観察するときの入射角（β’）と入射角（β）は同じ角度であるが、第１の深度（ＤＡ）と第２の深度（ＤＢ）が異なるため、図１２に示すように、潜像部（４Ａ）及び背景部（４Ｂ）を構成する第１の要素（１１）のそれぞれで死角領域が異なり、潜像部（４Ａ）と背景部（４Ｂ）で第２の要素（２１）の視認性に差が生じる。そして、図１２（ｂ）に示す配置の第１の要素（１１）と第２の要素（２１）を観察点（Ｌ２）の斜めから観察した場合、第２の要素（２１）は、基材（１）の死角となって観察することができない。
【００５３】
以上説明した観察原理によって、図１０に示す配置、すなわち、前述した第２の要素（２１）が、少なくとも潜像部（４Ａ）を構成する第１の要素（１１）の観察領域に重なり、背景部（４Ｂ）を構成する第２の要素（２１）の観察領域に重ならない配置のとき、第１の要素（１１）と第２の要素（２１）を観察点（Ｌ２）から観察した場合、潜像部（４Ａ）のみが第２の要素（２１）の色で観察される。そして、図１０は、第１の要素（１１）と第２の要素（２１）が、それぞれ一つずつ配置された例を示した図であるが、図１０に示す配置で成る本発明の潜像模様形成体（２）を観察点（Ｌ２）から観察した場合、図１（ｃ）に示すように、第２の要素（２１）の色で潜像部（４Ａ）が視認されて潜像画像（３０）を観察することができる。
【００５４】
なお、本発明において、潜像画像（３０）が観察できる視点の位置、すなわち、観察点（Ｌ２）の基材（１）に対する入射角（β）及び入射角（β’）の範囲は、一つの角度に限定されるものではない。実際に、潜像画像（３０）を観察する際には、所定の入射角（β）及び入射角（β’）で観察したときに潜像部（４Ａ）と背景部（４Ｂ）のコントラストが最も得られ、潜像画像（３０）の視認性が良くなるが、その角度と異なる角度であっても、潜像部（４Ａ）と背景部（４Ｂ）を構成する第１の要素（１１）に形成された第２の要素（２１）の視認性が異なる位置であれば、潜像画像（３０）を観察することができる。
【００５５】
続いて、観察点（Ｌ３）から観察した場合の潜像の観察原理について説明する。図１３（ａ）は、図１０（ａ）に示すＭ−Ｍ’線、すなわち潜像部（４Ａ）における断面図であり、観察点（Ｌ３）から観察した状態を示す図である。図１３（ａ）において、潜像部（４Ａ）を観察する観察点（Ｌ３）の基材（１）に対する入射角を「β」として図示している。観察点（Ｌ３）から観察した場合には、前述したように、観察点（Ｌ２）から観察した場合の観察領域及び死角領域とは異なり、図１３（ａ）において、斜線で示す領域が死角領域となり、第１の要素（１１）のうち、死角領域を除く領域が観察領域となる。そして、潜像部（４Ａ）では、第１の要素（１１）に重なる第２の要素（２１）のうち、基材（１）の死角となる部分、すなわち、図１３（ａ）において、斜線で示す領域は第２の要素（２１）を観察することができないが、残りの部分で第２の要素（２１）を観察することができる。一方、図１３（ｂ）は、図１０（ａ）に示すＮ−Ｎ’線、すなわち背景部（４Ｂ）における断面図であり、観察点（Ｌ３）から観察した状態を示す図である。図１３（ｂ）において、背景部（４Ｂ）を観察する観察点（Ｌ３）の基材（１）に対する入射角を「β’」として図示している。観察点（Ｌ３）から観察した場合には、観察点（Ｌ２）から観察した場合の観察領域及び死角領域とは異なり、図１３（ｂ）において、斜線で示す領域が死角領域となり、第１の要素（１１）のうち、死角領域を除く領域が観察領域となる。そして、背景部（４Ｂ）では、第１の要素（１１）に重なる第２の要素（２１）が基材（１）の死角となって観察することができない。このように、観察点（Ｌ３）から観察した場合においても、第１の深度（ＤＡ）と第２の深度（ＤＢ）が異なるため、図１３に示すように、潜像部（４Ａ）及び背景部（４Ｂ）を構成する第１の要素（１１）のそれぞれで死角領域が異なり、潜像部（４Ａ）と背景部（４Ｂ）で第２の要素（２１）の視認性に差が生じるため潜像画像（３０）を観察することができる。
【００５６】
以上説明した観察原理によって、図１０に示す配置の第１の要素（１１）と第２の要素（２１）を観察点（Ｌ３）から観察した場合、潜像部（４Ａ）のみが第２の要素（２１）の色で観察される。そして、図１０は、第１の要素（１１）と第２の要素（２１）が、それぞれ一つずつ配置された例を示した図であるが、本発明の潜像模様形成体（２）を観察点（Ｌ３）から観察した場合、図１（ｃ）に示すように、第２の要素（２１）の色で潜像部（４Ａ）が視認される潜像画像（３０）を観察することができる。また、観察点（Ｌ３）から観察した場合、観察される潜像画像（３０）は、アルファベットの「Ａ」の文字が逆向きとなる。
【００５７】
以上、観察点（Ｌ２）と観察点（Ｌ３）から観察される潜像画像（３０）について説明したが、本発明の潜像模様形成体（１）は、観察点（Ｌ２）、観察点（Ｌ３）又は観察点（Ｌ２）及び観察点（Ｌ３）のいずれかの観察位置で観察したときに、第１の深度（ＤＡ）と第２の深度（ＤＢ）が異なることによって潜像部（４Ａ）と背景部（４Ｂ）で第２の要素（２１）の視認性に差が生じ、潜像画像（３０）が観察される。しかしながら、本発明において、観察点（Ｌ２）と観察点（Ｌ３）の両方で、潜像画像（３０）が観察できるかどうかは、第１の要素（２１）と第２の要素（２１）の画線の構成とその配置によるものであり、作製される潜像模様形成体（２）によって異なるので、以降の説明では、便宜上、観察点（Ｌ２）から観察したときに観察される潜像画像（３０）とその構成について説明する。
【００５８】
このように、本発明の潜像模様形成体（２）は、一つの第１の要素（１１）において、第１の深度（ＤＡ）と第２の深度（ＤＢ）が異なって潜像部（４Ａ）と背景部（４Ｂ）が形成され、第２の要素（２１）が重なることで潜像画像（３０）を出現させることができるため、従来の特許文献１及び２記載の潜像模様形成体のように、凹形状の位相を異ならせることがなく、第１のピッチ（Ｐ１）を小さくして第１の要素（１１）を形成又は第１の要素（１１）が隣接するように形成できる。その結果、前述したように、基材（１）上に形成される第１の要素（１１）の形成密度を大きくすることができるので、潜像の解像度を高め、それによって潜像の視認性の向上を図ることができる。
【００５９】
以上説明した、本発明の潜像模様形成体（２）で観察される潜像は、潜像部（４Ａ）のみが第２の要素（２１）の色で観察されるものであるが、第１の要素（１１）と第２の要素（２１）の構成及び配置によって、前述した潜像画像（３０）に対して、視認性の異なる潜像画像（３０）を観察することができる。以下、その構成について説明する。
【００６０】
図１４（ａ）は、図１２（ａ）に示す断面図に対して、潜像部（４Ａ）を構成する第１の要素（１１）の観察領域に重なる第２の要素（２１）の面積が大きい状態を示している。このように形成された第１の要素（１１）と第２の要素（２１）を斜めから観察した場合、図１２（ａ）に示す構成に対して、第２の要素（２１）を観察できる範囲が広くなり、濃い色で観察される。逆に、図１４（ｂ）に示すように、図１２（ａ）に示す断面図に対して、潜像部（４Ａ）を構成する第１の要素（１１）の観察領域に重なる第２の要素（２１）の面積を小さくした場合、第２の要素（２１）を観察できる範囲が狭くなり、薄い色で観察される。このように、観察点（Ｌ２）から観察したときの観察領域に重なる第２の要素（２１）の面積によって、視認される潜像画像（３０）の濃度を変化させることができる。
【００６１】
続いて、本発明の観察原理で説明した潜像模様形成体（２）において、第１の深度（ＤＡ）が第２の深度（ＤＢ）より深く形成された場合について説明する。この場合、観察点（Ｌ２）から観察すると、潜像部（４Ａ）を構成する第１の要素（１１）と第２の要素（２１）は、図１２（ｂ）に示す断面図の配置関係となり、背景部（４Ｂ）を構成する第１の要素（１１）と第２の要素（２１）は、図１２（ａ）に示す断面図の配置関係となる。すなわち、前述した第２の要素（２１）が、少なくとも背景部（４Ｂ）を構成する第１の要素（１１）の観察領域に重なり、潜像部（４Ａ）を構成する第２の要素（２１）の観察領域に重ならない配置である。そして、観察点（Ｌ２）から観察した場合、背景部（４Ｂ）が第２の要素（２１）の色で視認されて、図１５に示す潜像画像（３０）を観察することができる。
【００６２】
以上説明した、潜像部（４Ａ）を構成する第１の要素（１１）の第１の深度（ＤＡ）及び背景部（４Ｂ）を構成する第１の要素（１１）の第２の深度（ＤＢ）は、それぞれ一定の深度で形成される例であるが、続いて、前述したような、潜像部（４Ａ）及び／又は背景部を構成する第１の要素において、更に深度を異ならせる構成とした場合について説明する。その一例として、図１６に示す潜像部（４Ａ）を構成する第１の要素（１１）が二つの異なる深度で形成されて成る第１の模様（１０）について説明する。
【００６３】
図１６に示す第１の模様（１０）は、潜像部（４Ａ）をリング形状とし、潜像部（４Ａ）の左半分と右半分で第１の要素（１１）の深度を異ならせて形成した例である。
【００６４】
図１７（ａ）は、図１６に示す一点鎖線で囲まれた第１の要素（１１）の上面図と断面図を示す図である。図１７（ａ）に示すように潜像部（４Ａ）は、左側半分が第１の深度（ＤＡ１）で形成され、右側半分が第１の深度（ＤＡ２）で形成される。なお、図１７（ａ）では、左側の潜像部（４Ａ）を構成する第１の要素（１１）の深度が、右側の潜像部（４Ａ）を構成する第１の要素（１１）の深度より浅く形成されている状態を示している。また、図１７（ｂ）は、図１６に示す二点鎖線で囲まれた第１の要素（１１）の上面図と断面図を示す図である。図１７（ｂ）においても、左側の潜像部（４Ａ）を構成する第１の要素（１１）は、第１の深度（ＤＡ１）で形成され、右側の潜像部（４Ａ）を構成する第１の要素（１１）は、第１の深度（ＤＡ２）で形成される。
【００６５】
このように、形成した潜像部（４Ａ）を構成する第１の要素（１１）の観察領域に第２の要素（２１）を重ねて配置し、かつ、背景部（４Ｂ）を構成する第１の要素（１１）の観察領域に第２の要素（２１）が重ならないように配置して、斜めから観察した場合（図示せず）、これまで説明してきた観察原理によって、浅い方の深度（ＤＡ１）で形成された左側半分の潜像部（４Ａ）を構成する第１の要素（１１）に重なる第２の要素（２１）の面積が、深い方の深度（ＤＡ２）で形成された右側半分の潜像部（４Ａ）を構成する第１の要素（１１）に重なる第２の要素（２１）の面積より大きくなる結果、図１８に示すように、第２の要素（１１）の色で左側半分が濃く、右側半分が薄い潜像画像（３０）が観察される。なお、本説明では、潜像部（４Ａ）を構成する第１の要素（１１）が二つの異なる深度で形成される構成について説明したが、本発明において第１の模様（１０）は、潜像部（４Ａ）を構成する第１の要素（１１）が、更に多くの異なる深度で形成される構成としても良いし、前述したように、潜像部（４Ａ）を構成する第１の要素（１１）の深度が連続的に変化する構成としても良い。このように、第１の要素（１１）を複数の異なる深度で形成することによって、潜像の表現できる濃度範囲を広げることができる。なお、背景部（４Ｂ）を構成する第１の要素（１１）についても同様である。
【００６６】
続いて、第１の要素（１１）と第２の要素（２１）の配置において、前述した少なくとも潜像部（４Ａ）を構成する第１の要素（１１）及び背景部（４Ｂ）を構成する第２の要素（２１）の観察領域に重なる配置について説明する。なお、この配置の一例を図１９に示す。この場合、図１９（ａ）及び（ｂ）に示すように、潜像部（４Ａ）及び背景部（４Ｂ）を構成する第１の要素（１１）の観察領域に第２の要素（２１）が重なるため、斜めから観察した時に、潜像部（４Ａ）と背景部（４Ｂ）が、第２の要素（２１）の色で観察されるが、前述した潜像部（４Ａ）が二つの異なる深度で形成される構成とした場合の潜像画像（３０）の観察原理と同様に、第１の深度（ＤＡ）と第２の深度（ＤＢ）が異なることによって第２の要素（２１）の視認性が異なり、浅い方の深度（ＤＡ）で形成された潜像部（４Ａ）が濃く、深い方の深度（ＤＢ）で形成された背景部（４Ｂ）が薄く視認され、図２０に示す潜像画像（３０）を観察することができる。
【００６７】
以下、実施例を用いて本発明を更に詳細に説明するが、本発明の内容は、これら実施例の範囲に限定されるものではない。
【００６８】
（実施例１）
実施例１は、基材（１）に紙材を用い、第１の方向と第２の方向が同じ方向であり、第１の深度（ＤＡ）と第２の深度（ＤＢ）がそれぞれ一定の深度で形成され、第１の深度（ＤＡ）が第２の深度（ＤＢ）より浅く形成される潜像模様形成体（２）である。実施例１の潜像模様形成体（２）について図を用いて説明する。
【００６９】
実施例１の潜像模様形成体（２）において、基材（１）は、２００μｍの紙材を用いた。
【００７０】
実施例１の潜像模様形成体（２）の第１の模様（１０）は、図２に示すとおりであり、第１の模様（１０）を構成する第１の要素（１１）を、画線の幅（Ｗ１）が１００μｍの直線で成る構成とし、第１のピッチ（Ｐ１）を１５０μｍで第１の方向に複数配置して形成した。このとき、第１の深度（ＤＡ）を６０μｍ、第２の深度（ＤＢ）を１２０μｍで形成して、図４に示すアルファベットの「Ａ」の文字の潜像部（４Ａ）とその背景部（４Ｂ）を備えて成る構成とした。なお、第１の要素（１１）は、レーザ加工によって基材（１）の一部を除去することによって形成した。
【００７１】
実施例１の潜像模様形成体（２1）の第２の模様（２１）は、図７に示すとおりであり、第２の模様（２０）を構成する第２の要素（２１）を、画線の幅（Ｗ２）が８０μｍの直線で成る構成とし、第２のピッチ（Ｐ２）が１５０μｍで第２の方向に複数配置して形成した。このとき、第２の要素（２１）は、黒色とし、インクジェットプリンタによって形成した。また、第２の要素（２１）は、図１２に示すように、潜像部（４Ａ）を構成する第１の要素（１１）の観察領域に重なり、背景部（４Ｂ）を構成する第１の要素（１１）の観察領域に重ならないように配置した。
【００７２】
以上の構成で成る実施例１の潜像模様形成体（２）を、真上から観察すると、図１（ｂ）に示す第２の模様（２１）が観察され、斜めから観察すると、異なる深度の第１の要素（１１）で形成された潜像部（４Ａ）と背景部（４Ｂ）において、第２の要素（２１）の視認性が異なることによって、図１（ｃ）に示す潜像画像（３０）が観察された。
【００７３】
（実施例２）    
実施例２は、実施例１に対して、第１の深度（ＤＡ）が第２の深度（ＤＢ）より深く形成される潜像模様形成体（２）である。実施例２の潜像模様形成体（２）について、実施例１と異なる点について説明する。  
【００７４】
実施例２の第１の模様（１０）は、第１の深度（ＤＡ）を１２０μｍ、第２の深度（ＤＢ）を６０μｍで形成した。また、第２の要素（２１）は、背景部（４Ｂ）を構成する第１の要素（１１）の観察可能な領域に重なり、潜像部（４Ａ）を構成する第１の要素（１１）の観察可能な領域に重ならないように配置した。
【００７５】
以上の構成で成る実施例２の潜像模様形成体（２）を斜めから観察すると、図１（ｃ）に示す潜像画像（３０）に対して、図１５に示すネガポジ反転した潜像画像（３０）が観察された。
【００７６】
（実施例３）
実施例３は、実施例１に対して、第１の要素（１１）が隣接する、すなわち、第１のピッチ（Ｐ１）と画線の幅（Ｗ１）の値が等しい潜像模様形成体（２）である。また、第１のピッチ（Ｐ１）と第２のピッチ（Ｐ２）が等しい潜像模様形成体（２）である。実施例３の潜像模様形成体（２）について、実施例１と異なる点について説明する。
【００７７】
実施例３の潜像模様形成体（２）の第１の模様（１０）は、図２１に示すとおりであり、第１の模様（１０）を構成する第１の要素（１１）を、画線の幅（Ｗ１）が１００μｍの直線で成る構成とし、第１のピッチ（Ｐ１）を１００μｍで形成し、星型の潜像部（４Ａ）とその背景部（４Ｂ）を備えて成る構成とした。なお、第１の深度（ＤＡ）及び第２の深度（ＤＢ）については実施例１と同じである。また、第２の模様（２０）を構成する第２の要素（２１）を、画線の幅（Ｗ２）が５０μｍの直線で成る構成とし、第２のピッチ（Ｐ２）が１００μｍで形成した。
【００７８】
以上の構成で成る実施例３の潜像模様形成体（２）は、実施例１に対して、基材（１）に形成される第１の要素（１１）と第２の要素（２１）の形成密度が大きいため、斜めから観察すると解像度と視認性のよい潜像画像（３０）が観察された。
【００７９】
（実施例４）  
実施例４は、実施例１に対して、第１の要素（１１）に重なる第２の要素（２１）の位置が異なり、潜像部（４Ａ）及び背景部（４Ｂ）を構成する第１の要素（１１）の観察領域に第２の要素（２１）が重なる潜像模様形成体（２）である。実施例４の潜像模様形成体（２）について、実施例１と異なる点について説明する。
【００８０】
実施例４において、潜像部（４Ａ）及び背景部（４Ｂ）を構成する第１の要素（１１）のそれぞれの観察領域に、第２の要素（２１）が重なる状態を図１９に示す。図１９（ａ）は、潜像部（４Ａ）を構成する第１の要素（１１）に重なる第２の要素（２１）を示している。前述したように、第１の要素（１１）に重なる第２の要素（２１）の位置が異なるため、図１２（ａ）に示す配置に対して、第１の要素（１１）の観察領域に重なる第２の要素（２１）の面積が大きくなり、その分、基材（１）の死角領域に重なる第２の要素（２１）の面積が小さくなる。また、図１９（ｂ）は、背景部（４Ｂ）を構成する第１の要素（１１）に重なる第２の要素（２１）を示している。前述したように、第１の要素（１１）に重なる第２の要素（２１）の位置が異なるため、図１２（ｂ）に示す配置に対して、第１の要素（１１）の観察領域に第２の要素（２１）が重なり、その分、基材（１）の死角領域に重なる第２の要素（２１）の面積が小さくなる。
【００８１】
以上の構成で成る潜像模様形成体（２）を斜めから観察すると、潜像部（４Ａ）と背景部（４Ｂ）を構成する第１の要素（２１）の観察領域に第２の要素（２１）が重なっているため、いずれも第２の要素（２１）の色で観察されるが、異なる深度で形成された潜像部（４Ａ）と背景部（４Ｂ）では、図１９に示すように、それぞれを構成する第１の要素（１１）の観察領域に重なる第２の要素（２１）の面積が異なり、観察領域に重なる第２の要素（２１）の面積が大きい潜像部（４Ａ）は濃く、観察領域に重なる第２の要素（２１）の面積の小さい背景部（４Ｂ）は薄く視認され、図２０に示す潜像画像（３０）が観察された。
【００８２】
（実施例５）  
実施例５は、実施例１の潜像模様形成体（２）に対して第１の方向と第２の方向が異なる潜像模様形成体（２）である。実施例５の潜像模様形成体（２）について、実施例１と異なる点について説明する。
【００８３】
実施例５において、第２の模様（２０）は、第２の要素（２１）を第１の方向と異なる第２の方向に複数配置して形成した。このとき、第２の方向は、第１の方向に対して１度異なる方向とした。なお、第１の模様（１０）に第２の模様（２０）が重なる状態を示す平面図を図２２に示す。図２２に示すように、第１の方向に対して、第２の方向を異ならせることによって、潜像部（４Ａ）と背景部（４Ｂ）を構成する第１の要素（１１）に第２の要素（２１）が重なるが、同じ潜像部（４Ａ）を構成する第１の要素（１１）又は同じ背景部（４Ｂ）を構成する第１の要素（１１）であっても、部分的に第２の要素（２１）の重なる面積が異なる配置となる。
【００８４】
以上の構成で成る潜像模様形成体（２）を斜めから観察すると、潜像部（４Ａ）と背景部（４Ｂ）を構成する第１の要素（１１）の観察領域に重なる第２の要素（２１）の面積が部分的に変化することによって、図２３に示すグラデーションのかかった潜像画像（３０）が観察された。
【００８５】
（実施例６）
実施例６は、実施例１の潜像模様形成体（２）に対して、潜像部（４Ａ）を構成する第１の要素（１１）が二つの異なる深度で形成される潜像模様形成体（２）である。実施例６の潜像模様形成体（２）について、実施例１と異なる点について説明する。
【００８６】
実施例６において、第１の模様（１０）は、図１６に示すようにリング形状の潜像部（４Ａ）とその背景部（４Ｂ）を備える構成とした。また、潜像部（４Ａ）の左半分と右半分で第１の要素（１１）の深度を異ならせ、図１７に示すように、左側半部の潜像部（４Ａ）の第１の深度（ＤＡ１）を５０μｍ、右側半部の潜像部（４Ａ）の第１の深度（ＤＡ２）を８０μｍで形成した。また、第２の要素（２１）は、潜像部（４Ａ）を構成する第１の要素（１１）の観察可能な領域に重なり、背景部（４Ｂ）を構成する第１の要素（１１）の観察可能な領域に重ならないように配置した。
【００８７】
以上の構成で成る潜像模様形成体（２）を斜めから観察すると、２つの異なる深度で形成された潜像部（４Ａ）の観察可能な領域に第２の要素（２１）が重なるため、潜像部（４Ａ）は第２の要素（２１）の色で観察されるが、浅い方の深度、すなわち第１の深度（ＤＡ１）で形成された第１の要素（１１）の観察可能な領域に重なる第２の要素（２１）の面積が、深い方の深度、すなわち第１の深度（ＤＡ２）で形成された第１の要素（１１）の観察可能な領域に重なる第２の要素（２１）の面積より大きいため、図１８に示すように、潜像部（４Ａ）のうち、左側半分は濃く、右側半分が薄くなった潜像画像（３０）が観察される。
【００８８】
（実施例７）  
実施例７は、実施例１に対して、潜像部（４Ａ）を構成する第１の要素（１１）の深度を連続的に変化させて成る潜像模様形成体（２）である。実施例７の潜像模様形成体（２）について実施例１と異なる点について説明する。
【００８９】
実施例７の第１の模様は、図２４に示すように円形状の潜像部（４Ａ）とその背景部（４Ｂ）を備える構成とした。そして、図２５に示すように、潜像部（４Ａ）を構成する第１の要素（１１）の深度が連続的に変化するように潜像部（４Ａ）を構成する第１の要素（１１）を形成した。なお、図２５（ａ）は、図２４に示す二点破線で囲まれた第１の要素（１１）の平面図と断面図である。図２５（ａ）に示すように、円形状の最も左側の部分を、潜像部（４Ａ）において最も深い深度とし、円形状の最も右側の部分を、潜像部（４Ａ）において最も浅い深度とした。なお、潜像部（４Ａ）において最も深い第１の深度（ＤＡ１）を、９０μｍとし、最も浅い第１の深度（ＤＡ２）を、５０μｍとし、その間は、第１の深度（ＤＡ１）で形成される部分と第１の深度（ＤＡ２）で形成される部分を、直線で結ぶように連続的に深度を異ならせた。また、図２５（ｂ）は、図２４に示す一点破線で囲まれた第１の要素（１１）の平面図と断面図である。実施例７において潜像部（４Ａ）は、第１の方向に複数配置された第１の要素（１１）において、第１の要素（１１）の垂直方向で同じ位置する部分は、同じ深度となるように形成した。図２５（ｂ）の断面図に示す波線は、その構成を示すためのものである。なお、第２の要素（２１）は、潜像部（４Ａ）を構成する第１の要素（１１）の観察領域に重なり、背景部（４Ｂ）を構成する第１の要素（１１）の観察領域に重ならないように配置した。
【００９０】
以上の構成で成る潜像模様形成体（２）を斜めから観察すると、潜像部（４Ａ）を構成する第１の要素（１１）の観察領域に第２の要素（２１）が重なるため、潜像部（４Ａ）は第２の要素（２１）の色で観察された。このとき、円形状を構成する第１の要素（１１）の左側から右側にかけて、観察領域に重なる第２の要素（２１）の面積が大きくなるため、図２６に示すように  左側から右側にかけて濃度が変化する潜像画像（３０）が観察された。
【符号の説明】
【００９１】
１          基材
２          潜像模様形成体
４Ａ          潜像部
４Ｂ          背景部
１０          第１の模様
１１          第１の要素
２０          第２の模様
２１          第２の要素
３０          潜像画像
Ｆ１          第１の方向
Ｆ２          第２の方向
Ｗ１          画線の幅（第１の要素）
Ｐ１          第１のピッチ
ＤＡ          第１の深度
Ｗ２          画線の幅、画素の高さ（第２の要素）
Ｐ２          第２のピッチ
Ｘ２          画素の幅
Ｓ２          画素のピッチ
ＤＢ          第２の深度
Ｌ１          基材の真上から観察した場合の視点
Ｌ２          基材に対して斜めの方向から観察した場合の視点
Ｌ３          基材に対して斜めの方向から観察した場合の視点
β            基材に対する視点の入射角
β’          基材に対する視点の入射角
【図１】
0005552646.tif 000002
【図２】
0005552646.tif 000003
【図３】
0005552646.tif 000004
【図４】
0005552646.tif 000005
【図５】
0005552646.tif 000006
【図６】
0005552646.tif 000007
【図７】
0005552646.tif 000008
【図８】
0005552646.tif 000009
【図９】
0005552646.tif 000010
【図１０】
0005552646.tif 000011
【図１１】
0005552646.tif 000012
【図１２】
0005552646.tif 000013
【図１３】
0005552646.tif 000014
【図１４】
0005552646.tif 000015
【図１５】
0005552646.tif 000016
【図１６】
0005552646.tif 000017
【図１７】
0005552646.tif 000018
【図１８】
0005552646.tif 000019
【図１９】
0005552646.tif 000020
【図２０】
0005552646.tif 000021
【図２１】
0005552646.tif 000022
【図２２】
0005552646.tif 000023
【図２３】
0005552646.tif 000024
【図２４】
0005552646.tif 000025
【図２５】
0005552646.tif 000026
【図２６】
0005552646.tif 000027